(57)【特許請求の範囲】
【請求項１】
相関演算部と、データ復調部と、制御部と、設定タイミング管理部と、第１の設定保持部と、第２の設定保持部と、受信用シンボルタイミング生成部と、受信用拡散符号生成部とを備えるＣＤＭＡ送受信回路であって、
前記相関演算部は、受信したＣＤＭＡ変調信号と前記受信用拡散符号生成部から出力された拡散符号を用いて相関演算を行い、演算結果を相関データとして出力する相関演算部であり、
前記データ復調部は、前記受信用シンボルタイミング生成部から出力されたシンボルタイミングに基づいて前記相関データを復調し、復調結果からフレーム毎のタイミング情報であるＳＦＮデータを出力するデータ復調部であり、
前記制御部は、特定のシンボルタイミングを生成させる旨の命令を含むシンボルタイミングデータと、特定の拡散符号を生成させる旨の命令を含む拡散符号データと、前記特定のシンボルタイミング及び前記特定の拡散符号を出力させるフレームのタイミングの情報である変更開始ＳＦＮデータを出力する制御部であり、
前記設定タイミング管理部は、前記ＳＦＮデータ及び前記変更開始ＳＦＮデータに基づいてフレーム毎のタイミングを監視し、特定のフレームのタイミングとなった時点で出力タイミング信号を出力する設定タイミング管理部であり、
前記第１の設定保持部は、前記制御部から出力された前記シンボルタイミングデータを格納し、前記出力タイミング信号が入力されると格納している前記シンボルタイミングデータを出力する第１の設定保持部であり、
前記第２の設定保持部は、前記制御部から出力された前記拡散符号データを格納し、前記出力タイミング信号が入力されると格納している前記拡散符号データを出力する第２の設定保持部であり、
前記受信用シンボルタイミング生成部は、前記第１の設定保持部から出力された前記シンボルタイミングデータに基づいて、シンボルタイミングを生成、出力する受信用シンボルタイミング生成部であり、
前記受信用拡散符号生成部は、前記第２の設定保持部から出力された前記拡散符号データと、前記受信用シンボルタイミング生成部から出力されたシンボルタイミングに基づいて、拡散符号を生成、出力する受信用拡散符号生成部であることを特徴とするＣＤＭＡ送受信回路。
【請求項２】
データ生成部と、拡散部と、第３の設定保持部と、第４の設定保持部と、送信用シンボルタイミング生成部と、送信用拡散符号生成部とを備え、
前記データ生成部は、前記送信用シンボルタイミング生成部から出力されたシンボルタイミングに基づいて送信データを生成、出力するデータ生成部であり、
前記拡散部は、前記送信データと拡散符号とを用いて拡散処理を行い、処理結果をＣＤＭＡ変調信号として出力する拡散部であり、
前記第３の設定保持部は、制御部から出力されたシンボルタイミングデータを格納し、設定タイミング管理部から出力された出力タイミング信号が入力されると格納している前記シンボルタイミングデータを出力する第３の設定保持部であり、
前記第４の設定保持部は、前記制御部から出力された前記拡散符号データを格納し、前記出力タイミング信号が入力されると格納している前記拡散符号データを出力する第４の設定保持部であり、
前記送信用シンボルタイミング生成部は、前記第３の設定保持部から出力された前記シンボルタイミングデータに基づいて、シンボルタイミングを生成、出力する送信用シンボルタイミング生成部であり、
前記送信用拡散符号生成部は、前記第４の設定保持部から出力された前記拡散符号データと、前記送信用シンボルタイミング生成部から出力されたシンボルタイミングに基づいて、拡散符号を生成、出力する送信用拡散符号生成部であることを特徴とする請求項１記載のＣＤＭＡ送受信回路。
【請求項３】
前記設定タイミング管理部は、
入力されたＳＦＮデータに規定の数値を加算する加算部と、
入力された変更開始ＳＦＮデータを保持、出力するＳＦＮ保持部と、
前記加算部の加算結果及び前記ＳＦＮ保持部で保持されている前記変更開始ＳＦＮデータとを比較し、比較結果を出力する比較部と、
フレーム毎にフレームタイミングを生成し、出力するフレームタイミング生成部と、
前記比較部の比較結果及び前記フレームタイミングとの論理積演算を行う論理積演算部と、
新たに変更開始ＳＦＮデータが入力されたことを示す設定フラグ信号を保持、出力するフラグ保持部と、
前記設定フラグ信号で保持されている設定フラグ信号の値により、前記論理積演算部の演算結果又は０を選択し、出力タイミング信号として出力する選択部とを備え、
前記選択部が前記論理積演算部の演算結果を選択した場合、前記フラグ保持部は保持内容を消去することを特徴とする請求項１又は請求項２に記載のＣＤＭＡ送受信回路。
【請求項４】
相関演算部と、データ復調部と、制御部と、設定タイミング管理部と、第１の受信用シンボルタイミング生成部と、第２の受信用シンボルタイミング生成部と、第１の選択部と、第１の受信用拡散符号生成部と、第２の受信用拡散符号生成部と、第２の選択部を備えるＣＤＭＡ送受信回路であって、
前記相関演算部は、受信したＣＤＭＡ変調信号と前記受信用拡散符号生成部から出力された拡散符号を用いて相関演算を行い、演算結果を相関データとして出力する相関演算部であり、
前記データ復調部は、前記第１の選択部から出力されたシンボルタイミングに基づいて前記相関データを復調し、復調結果からフレーム毎のタイミング情報であるＳＦＮデータを出力するデータ復調部であり、
前記制御部は、特定のシンボルタイミングを生成させる旨の命令を含むシンボルタイミングデータを前記第１又は第２の受信用シンボルタイミング生成部のうち、前記第１の選択部で選択されていないシンボルタイミングを生成している方に出力し、特定の拡散符号を生成させる旨の命令を含む拡散符号データを前記第１又は第２の受信用拡散符号生成部のうち、前記第２の選択部で選択されていない拡散符号を生成している方に出力し、前記特定のシンボルタイミング及び前記特定の拡散符号を出力させるフレームのタイミングの情報である変更開始ＳＦＮデータを前記設定タイミング管理部に出力する制御部であり、
前記設定タイミング管理部は、前記ＳＦＮデータ及び前記変更開始ＳＦＮデータに基づいてフレーム毎のタイミングを監視し、特定のフレームのタイミングとなった時点で選択信号の出力値を反転して出力する設定タイミング管理部であり、
前記第１又は第２の受信用シンボルタイミング生成部は、前記制御部から出力された前記シンボルタイミングデータに基づいて、シンボルタイミングを生成、出力する受信用シンボルタイミング生成部であり、
前記第１又は第２の受信用拡散符号生成部は、前記制御部から出力された前記拡散符号データと、前記第１の選択部から出力されたシンボルタイミングに基づいて、拡散符号を生成、出力する受信用拡散符号生成部であり、
前記第１の選択部は、前記第１及び第２の受信用シンボルタイミング生成部から出力されるシンボルタイミングのうちいずれか一つを選択して出力し、前記設定タイミング管理部から出力される選択信号が反転すると、シンボルタイミングを切り換えて出力する第１の選択部であり、
前記第２の選択部は、前記第１及び第２の受信用拡散符号生成部から出力される拡散符号のうちいずれか一つを選択して出力し、前記選択信号が反転すると、拡散符号を切り換えて出力する第２の選択部であることを特徴とするＣＤＭＡ送受信回路。
【請求項５】
データ生成部と、拡散部と、第３の送信用シンボルタイミング生成部と、第４の送信用シンボルタイミング生成部と、第３の選択部と、第３の送信用拡散符号生成部と、第４の送信用拡散符号生成部と、第４の選択部を備え、
前記データ生成部は、前記第３の選択部から出力されたシンボルタイミングに基づいて送信データを生成、出力するデータ生成部であり、
前記拡散部は、前記送信データと拡散符号とを用いて拡散処理を行い、処理結果をＣＤＭＡ変調信号として出力する拡散部であり、
前記第３又は第４の送信用シンボルタイミング生成部は、制御部から出力されたシンボルタイミングデータに基づいて、シンボルタイミングを生成、出力する送信用シンボルタイミング生成部であり、
前記第３又は第４の送信用拡散符号生成部は、前記制御部から出力された前記拡散符号データと、前記第３の選択部から出力されたシンボルタイミングに基づいて、拡散符号を生成、出力する送信用拡散符号生成部であり、
前記第３の選択部は、前記第３及び第４の送信用シンボルタイミング生成部から出力されるシンボルタイミングのうちいずれか一つを選択して出力し、設定タイミング管理部から出力される選択信号が反転すると、シンボルタイミングを切り換えて出力する第３の選択部であり、
前記第４の選択部は、前記第３及び第４の送信用拡散符号生成部から出力される拡散符号のうちいずれか一つを選択して出力し、前記選択信号が反転すると、拡散符号を切り換えて出力する第４の選択部であることを特徴とする請求項４記載のＣＤＭＡ送受信回路。
【請求項６】
前記設定タイミング管理部は、
入力されたＳＦＮデータに規定の数値を加算する加算部と、
入力された変更開始ＳＦＮデータを保持、出力するＳＦＮ保持部と、
前記加算部の加算結果及び前記ＳＦＮ保持部で保持されている前記変更開始ＳＦＮデータとを比較し、比較結果を出力する比較部と、フレーム毎にフレームタイミングを生成し、出力するフレームタイミング生成部と、
前記比較部の比較結果及び前記フレームタイミングとの論理積演算を行う論理積演算部と、
新たに変更開始ＳＦＮデータが入力されたことを示す設定フラグ信号を保持、出力するフラグ保持部と、
前記設定フラグ信号で保持されている設定フラグ信号の値により、前記論理積演算部の演算結果又は０を選択し、出力タイミング信号として出力する選択部と、
前記出力タイミング信号に基づいて選択信号を出力し、前記出力タイミング信号が特定の値のとき、選択信号を反転して出力する反転出力部とを備え、
前記選択部が前記論理積演算部の演算結果を選択した場合、前記フラグ保持部は保持内容を消去することを特徴とする請求項４又は請求項５記載のＣＤＭＡ送受信回路。
【発明の詳細な説明】
【０００１】
【発明の属する技術分野】
本発明は、ＨＨＯに対応したＣＤＭＡ送受信回路に係り、特にＣＤＭＡ変調信号の送受信処理の負荷を低減できるＣＤＭＡ送受信回路に関する。
【０００２】
【従来の技術】
昨今の携帯電話等の移動体通信の技術発展に伴い、種々の産業分野において移動体通信の需要は急速に高まっている。一方で移動体通信の利用者が急増していることにより、基地局での無線送受信の処理機能が低下し、通信の質が劣化する問題が発生している。このため、移動体通信の各方式では、これを回避する方法が種々提案されている。
【０００３】
このような回避方法として、次世代の移動体通信の主流の通信方式とされる広帯域符号分割多重（Wide Band - Code Division Multiple Access： Ｗ−ＣＤＭＡ）通信方式では、ＨＨＯ（Hard Hand Over）を採用している。以下、ＨＨＯの原理について説明する。
【０００４】
ＣＤＭＡ通信方式に対応した移動体端末が基地局との間でデータの送受信を行っている最中に、この基地局でデータの送受信を行うユーザ数が急増することにより、データの品質が劣化してこれまで通りのデータ送受信が困難になることがある。データの送受信に用いられているＣＤＭＡ変調信号の周波数帯を、新たに通信を開始したユーザが利用しようとするため、処理するデータ量が増大し送受信機能に負荷がかかることが主なる原因である。
【０００５】
このためＨＨＯでは、基地局でＣＤＭＡ変調信号の周波数帯の負荷状況を監視し、一定の条件（データ処理量、ユーザ数等）を満たすか否かにより、通信中のユーザのデータ送受信を、扱うユーザ数の少ない周波数帯に移行させて行わせるようにしている。周波数帯の移行は、移動体通信の性格上、異なる基地局が扱う周波数帯に移行することを前提としている。
【０００６】
周波数帯の移行は、事前に基地局において移行する周波数帯とそのタイミングを決定し、その旨を通信中の移動体端末に送信しておき、移行のタイミング時に移動体端末によって移行処理を行わせることで実現される。周波数帯の移行に際して、基地局は移行するフレームのタイミング、移行先の周波数帯に対応したシンボルタイミング及び拡散符号等の周波数移行に必要な情報（以下、移行先情報という）を対象となる移動体端末に事前に送信している。
また、基地局は移動体端末に対してフレーム毎にＳＦＮ（System Frame Number）というフレーム番号の情報を送信データと共に送信しており、このＳＦＮの情報を基に移動体端末は移行のタイミングを検知している。
【０００７】
ＨＨＯに対応した移動体端末で用いられる従来の送受信回路の動作について、図を用いて説明する。図８は、ＨＨＯに対応した従来のＣＤＭＡ送受信回路の構成ブロック図である。図８のＣＤＭＡ送受信回路は、直交変調によるスペクトラム拡散に対応している。
図８のＣＤＭＡ送受信回路では、制御部８３から左側の部分で受信機を、右側の部分で送信機の機能を実現している。以下、従来のＣＤＭＡ送受信回路の動作を機能別に説明する。
【０００８】
まず、受信機としての動作を説明する。
アンテナ（図示せず）で受信されたＣＤＭＡ変調信号は、同相成分（図ではＩ相）と直交成分（図ではＱ相）受信データに分離されて複素相関部８１に入力され、デジタル変換が行われる。また複素相関部８１には拡散符号生成部８５ａで生成された拡散符号が入力されている。複素相関部８１では、入力された拡散符号に基づいて各成分の受信データに対して逆拡散の複素相関演算が行われ、相関値が出力される。
【０００９】
複素相関部８１から出力された相関値は、データ復調部８２に入力される。またデータ復調部８２にはシンボルタイミング生成部８４ａで生成されたシンボルタイミングクロックが入力される。データ復調部８２では、入力された相関値及びシンボルタイミングクロックに応じたシンボルレートで受信データの復調が行われ、対応したデータの形式に再生される。
【００１０】
次に、送信機としての動作を説明する。
データ生成部８６には、シンボルタイミング生成部８４ｂで生成されたシンボルタイミングクロックが入力されている。送信しようとするデータがある場合、データ生成部８６はこのシンボルタイミングクロックに応じたシンボルレートで１次変調を行い、送信データを生成する。
【００１１】
データ生成部８６において生成された送信データは、複素拡散部８７に出力される。複素拡散部８７には、拡散符号生成部８５ｂで生成された拡散符号が入力されており、この拡散符号を基に送信データの２次変調、すなわち複素拡散を行う。さらに複素拡散部８７では複素拡散された送信データを同相成分（図ではＭＯＤＩ相）と直交成分（図ではＭＯＤＱ相）とに分離して、ＣＤＭＡ変調信号としてアンテナ（図示せず）を用いて無線送信する。
【００１２】
図８のＣＤＭＡ送受信回路において、制御部８３は、所望のシンボルタイミングクロックを発生させるためのシンボルタイミングデータをシンボルタイミング生成部８４ａ及び８４ｂに、所望の拡散符号を出力するための拡散符号データを拡散符号生成部８５ａ及び８５ｂに入力している。制御部８３はこれらの制御を、ＳＦＮ及び移行先情報に基づいて行っている。
以下、制御部８３における制御動作の詳細について図を用いて説明する。なお、図８のＣＤＭＡ送受信回路において、移行先情報は基地局から既に送信されており、制御部８３に記憶されているものとする。
【００１３】
受信データの復調の際に、データ復調部８２は復調された受信データからＳＦＮを抽出し、制御部８３に出力する。図８のＣＤＭＡ送受信回路で受信されるＳＦＮは、０００ｈ〜ＦＦＦｈ（十進数では０〜４０９５）の範囲で、周期的に繰り返して割り振られている。
【００１４】
図９は、図８のＣＤＭＡ送受信回路の周波数帯移行に係るシンボルタイミング及び拡散符号の制御動作のタイムチャート図である。
図９のタイムチャートでは、制御部８３は３０ｋｓｐｓのシンボルタイミングクロックを発生させる旨のシンボルタイミングデータをシンボルタイミング生成部８４ａ及び８４ｂに、拡散符号のデータ番号がＮｏ．１である拡散符号を出力する旨の拡散符号データを拡散符号生成部８５ａ及び８５ｂに出力している。
【００１５】
図９（１）は、ＳＦＮのタイムチャートを表している。基地局は既にＳＦＮ＝００３の時点でシンボルタイミングを１２０ｋｓｐｓに、拡散符号をデータ番号がＮｏ．２の拡散符号に変更する旨の移行先情報を送信しており、制御部８３はＳＦＮ＝ＦＦＥの時点でこの移行先情報に基づいた制御を開始するものとする。
【００１６】
制御部８３は、ＳＦＮ＝ＦＦＥとなった時点で、ＳＦＮ＝００２となるまでＳＦＮを毎フレーム監視する。データ復調部８２からＳＦＮ＝００２のＳＦＮが入力されると、制御部８３は１２０ｋｓｐｓのシンボルタイミングクロックを発生させる旨のシンボルタイミングデータ（以下、１２０ｋｓｐｓ指示データという）をシンボルタイミング生成部８４ａに、拡散符号のデータ番号がＮｏ．２である拡散符号を出力する旨の拡散符号データ（以下、Ｃｏｄｅ  Ｎｏ．２指示データという）を拡散符号生成部８５ａに入力する。シンボルタイミングデータと拡散符号データの出力のタイムチャートは、それぞれ図９（２）（３）に示す通りである。
【００１７】
１２０ｋｓｐｓ指示データが入力されると、シンボルタイミング生成部８４ａは１２０ｋｓｐｓのシンボルタイミングクロックをデータ復調部８２及び拡散符号生成部８５ａに入力する。また、Ｃｏｄｅ  Ｎｏ．２指示データが入力されると、拡散符号生成部８５ａはデータ番号がＮｏ．２である拡散符号を複素相関部８１に入力する。シンボルタイミングクロックと拡散符号のタイムチャートは、それぞれ図９（４）（５）に示す通りである。以上述べた一連の動作により、図８のＣＤＭＡ送受信回路は周波数帯の移行を実現できる。
【００１８】
【発明が解決しようとする課題】
しかしながら、上記従来のＣＤＭＡ送受信回路では、制御部でＳＦＮ監視処理を行っていたため、周波数帯の移行タイミングまでの時間が長くなる場合、制御部の負荷が増大し、ＣＤＭＡ送受信回路の送受信処理の負荷が増大するという問題点があった。
【００１９】
例えばＳＦＮ＝０００になった時点で周波数帯を移行させるために、制御部はＳＦＮ＝００１の時点からＳＦＮ監視を開始する場合を考える。１ＳＦＮ＝１０ｍｓｅｃであり、制御部は移行のタイミングまで絶えずＳＦＮ監視を続けなければならないため、制御部は最悪１０ｍｓｅｃ＊ＦＦＦｈ≒４１ｓｅｃの間、ＳＦＮ監視の処理を行うことになる。
【００２０】
制御部は実際にはＣＰＵ（Center Processing Unit）又はＤＳＰ（Digital Signal Processor）を用いて実現されることが多い。ＣＰＵ又はＤＳＰは処理ルーチン毎に計算処理を高速に行うため、このように単一の処理を長時間かけて行うことは他の処理を実行できなくなり、送受信回路全体に大きな負荷がかかることになる。
【００２１】
上述した通り、制御部はシンボルタイミング及び拡散符号の出力制御も担っているため、制御部に多大な負荷がかかることによって、ＣＤＭＡ変調信号の処理制御の遅延化、制御部で発生する熱雑音が増大し受信感度が低下すること等により、送受信回路におけるＣＤＭＡ変調信号の送受信処理の負荷が増大する。
【００２２】
本発明は上記実情に鑑みて為されたもので、ＣＤＭＡ変調信号の送受信処理の負荷を低減できるＣＤＭＡ送受信回路を提供することを目的とする。
【００２３】
【課題を解決するための手段】
上記従来例の問題点を解決するための本発明は、相関演算部と、データ復調部と、データ生成部と、拡散部と、制御部と、設定タイミング管理部と、第１〜第４の設定保持部と、受信用シンボルタイミング生成部と、受信用拡散符号生成部と、送信用シンボルタイミング生成部と、送信用拡散符号生成部を備えるＣＤＭＡ送受信回路であって、相関演算部は、受信したＣＤＭＡ変調信号と受信用拡散符号生成部から出力された拡散符号を用いて相関演算を行い、演算結果を相関データとして出力し、データ復調部は、受信用シンボルタイミング生成部から出力されたシンボルタイミングに基づいて相関データを復調し、復調結果からフレーム毎のタイミング情報であるＳＦＮデータを出力し、データ生成部は、送信用シンボルタイミング生成部から出力されたシンボルタイミングに基づいて送信データを生成、出力し、拡散部は、送信データと拡散符号とを用いて拡散処理を行い、処理結果をＣＤＭＡ変調信号として出力し、制御部は、特定のシンボルタイミングを生成させる旨の命令を含むシンボルタイミングデータと、特定の拡散符号を生成させる旨の命令を含む拡散符号データと、特定のシンボルタイミング及び特定の拡散符号を出力させるフレームのタイミングの情報である変更開始ＳＦＮデータを出力し、設定タイミング管理部は、ＳＦＮデータ及び変更開始ＳＦＮデータに基づいてフレーム毎のタイミングを監視し、特定のフレームのタイミングとなった時点で出力タイミング信号を出力し、第１又は第３の設定保持部は、制御部から出力されたシンボルタイミングデータを格納し、出力タイミング信号が入力されると格納しているシンボルタイミングデータを出力し、第２又は第４の設定保持部は、制御部から出力された拡散符号データを格納し、出力タイミング信号が入力されると格納している拡散符号データを出力し、受信用シンボルタイミング生成部は、第１の設定保持部から出力されたシンボルタイミングデータに基づいて、シンボルタイミングを生成、出力し、受信用拡散符号生成部は、第２の設定保持部から出力された拡散符号データと、受信用シンボルタイミング生成部から出力されたシンボルタイミングに基づいて、拡散符号を生成、出力し、送信用シンボルタイミング生成部は、第３の設定保持部から出力されたシンボルタイミングデータに基づいて、シンボルタイミングを生成、出力し、送信用拡散符号生成部は、第４の設定保持部から出力された拡散符号データと、送信用シンボルタイミング生成部から出力されたシンボルタイミングに基づいて、拡散符号を生成、出力するものであり、ＣＤＭＡ変調信号の送受信処理の負荷を低減することができる。
【００２４】
【発明の実施の形態】
本発明の実施の形態について図面を参照しながら説明する。
本発明の実施の形態に係るＣＤＭＡ送受信回路は、周波数帯の移行に際してフレームのタイミングを監視し、かつシンボルタイミング及び拡散符号の切り換え制御を行う設定タイミング管理部を設けたものであり、これによりＣＤＭＡ変調信号の送受信処理の負荷を低減することができる。
【００２５】
尚、請求項における相関部は複素相関部１１に相当し、第１〜第４の設定保持部は図１の設定保持部１７ａ〜１７ｄに、受信用シンボルタイミング生成部はシンボルタイミング生成部１５ａに、受信用拡散符号生成部は拡散符号生成部１６ａに、送信用シンボルタイミング生成部はシンボルタイミング生成部１５ｂに、送信用拡散符号生成部は拡散符号生成部１６ｂに、拡散部は複素拡散部１９にそれぞれ相当する。
【００２６】
本発明の実施の形態のＣＤＭＡ送受信回路の構成について、図１を用いて説明する。図１は、本発明の実施の形態に係るＣＤＭＡ送受信回路の構成ブロック図である。図１のＣＤＭＡ送受信回路は、直交変調によるスペクトラム拡散に対応している。
本発明の実施の形態に係るＣＤＭＡ送受信回路は、複素相関部１１と、データ復調部１２と、設定タイミング管理部１３と、制御部１４と、シンボルタイミング生成部１５ａ及び１５ｂと、拡散符号生成部１６ａ及び１６ｂと、設定保持部１７ａ〜１７ｄと、データ生成部１８と、複素拡散部１９とで構成される。
【００２７】
複素相関部１１は、アンテナ（図示せず）で受信されたＣＤＭＡ直交変調信号の同相成分（図ではＩ相）及び直交成分（図ではＱ相）をデジタル変換し、拡散符号生成部１６ａから出力された拡散符号に基づいて複素逆拡散の相関演算を行い、出力結果である相関値をデータ復調部１２に出力する。
【００２８】
データ復調部１２は、複素相関部１１から出力された相関値と、シンボルタイミング生成部１５ａから出力されたシンボルタイミングクロックに基づいて、受信したＣＤＭＡ直交変調信号の復調を行い、復調によって得られた受信データを対応したデータ形式で出力する。
また、データ復調部１２は、復調した受信データからＳＦＮ又は移行先情報を抽出し、設定タイミング管理部１３に出力する。
【００２９】
設定タイミング管理部１３は、データ復調部１２から出力された移行先情報を制御部１４に出力し、ＳＦＮ及び制御部１４から出力される移行先情報で指定された周波数帯を移行するＳＦＮの情報（以下、変更開始ＳＦＮデータという）を基に、ＳＦＮの監視を行う。
また、設定タイミング管理部１３は、シンボルタイミングクロック及び拡散符号の切り替えを行わせる出力タイミング信号を設定保持部１７ａ〜１７ｄに出力する。
【００３０】
制御部１４は、設定タイミング管理部１３から出力された移行先情報に基づいて、移行先情報で指定されたシンボルタイミングデータを設定保持部１７ａ及び１７ｂに、移行先情報で指定された拡散符号データを設定保持部１７ｃ及び１７ｄに出力する。
また、制御部１４は移行先情報に基づいて、変更開始ＳＦＮデータを設定タイミング管理部１３に出力する。
【００３１】
データ生成部１８は、シンボルタイミング生成部１５ｂから出力されたシンボルタイミングクロックに基づいて、送信しようとするデータに１次変調を行うことで送信データを生成し、複素拡散部１９に出力する。
【００３２】
複素拡散部１９は、データ生成部１８で生成された送信データ及び拡散符号生成部１６ｂから出力された拡散符号に基づいて、送信データの複素拡散を行う。さらに複素拡散部１９は、変調された送信データをアナログ変換し、同相成分（図ではＭＯＤＩ相）及び直交成分（図ではＭＯＤＱ相）とに分離して出力する。
【００３３】
シンボルタイミング生成部１５ａ，１５ｂは、設定保持部１７ａ，１７ｂから出力されたシンボルタイミングデータに基づいて、シンボルタイミングデータで指定されたシンボルレートでシンボルタイミングクロックを出力する。
シンボルタイミング生成部１５ａはデータ復調部１２及び拡散符号生成部１６ａに、シンボルタイミング生成部１５ｂはデータ生成部１８及び拡散符号生成部１６ｂにそれぞれシンボルタイミングクロックを出力する。
【００３４】
Ｗ−ＣＤＭＡ通信方式ではそれぞれ、１５、３０、６０、１２０、２４０、４８０、９６０ｋｓｐｓのシンボルレートを採用しており、制御部１４はこれらに対応したシンボルタイミングデータを出力し、またシンボルタイミング生成部１５ａ及び１５ｂはシンボルタイミングデータに基づき、これらのうちのいずれかのシンボルタイミングクロックを発生することができる。
【００３５】
拡散符号生成部１６ａ，１６ｂは、設定保持部１７ａ，１７ｂから出力された拡散符号データ及びシンボルタイミング生成部１５ａ，１５ｂから出力されたシンボルタイミングクロックに基づいて、拡散符号データで指定された種類の拡散符号を生成、出力する。拡散符号生成部１６ａは複素相関部１１に、拡散符号生成部１６ｂは複素拡散部１９にそれぞれ拡散符号を出力する。
【００３６】
拡散符号生成部１６ａ及び１６ｂは、ＬＣ（Long Code）とChanelization Codeの２種類の形式の拡散符号を生成することができる。ＬＣは拡散符号データに応じて逐次拡散符号を生成、出力するものであり、Chanelization Codeは拡散符号データ及びシンボルタイミングクロックに基づいて、シンボルタイミング周期で拡散符号を繰り返し生成、出力するものである。
ここで拡散符号生成部１６ａ及び１６ｂがどの形式の拡散符号を生成するかについては、制御部１４で決定して拡散符号データに含んで出力してもよいし、拡散符号生成部１６ａ及び１６ｂにおいて予め決定してもよい。
【００３７】
設定保持部１７ａ及び１７ｂは、制御部１４から出力されたシンボルタイミングデータを保持し、設定タイミング管理部１３から出力タイミング信号が出力されると、保持されているシンボルタイミングデータをシンボルタイミング生成部１５ａ，１５ｂに出力する。設定保持部１７ａはシンボルタイミング生成部１５ａに、設定保持部１７ｂはシンボルタイミング生成部１５ｂにそれぞれシンボルタイミングデータを出力する。
【００３８】
設定保持部１７ｃ及び１７ｄは、制御部１４から出力された拡散符号データを保持し、設定タイミング管理部１３から出力タイミング信号が出力されると、保持されている拡散符号データを拡散符号生成部１６ａ，１６ｂに出力する。設定保持部１７ｃは拡散符号生成部１６ａに、設定保持部１７ｄは拡散符号生成部１６ｂにそれぞれ拡散符号データを出力する。
【００３９】
次に、本発明の実施の形態のＣＤＭＡ送受信回路の動作について図を用いて説明する。まず、図１のＣＤＭＡ送受信回路における受信機及び送信機としての動作について機能別に説明する。
【００４０】
受信機としての動作について説明すると、アンテナで受信されたＣＤＭＡ変調信号は、同相成分と直交成分の受信データに分離されて複素相関部１１に入力される。
複素相関部１１では各成分の受信データをデジタル変換した後、拡散符号生成部１６ａで生成された拡散符号に基づいて、各成分の受信データに対して複素逆拡散の相関演算を行い、相関値をデータ復調部１２に出力する。ここで複素逆拡散に用いられる拡散符号は、受信データの変調の際に用いられた拡散符号と同一である。
【００４１】
複素相関部１１から出力された相関値は、データ復調部１２に入力される。データ復調部１２は入力された相関値及びシンボルタイミング生成部１５ａで生成されたシンボルタイミングクロックに応じたシンボルレートで受信データの復調が行われ、対応したデータの形式に再生される。
尚、拡散符号生成部１６ａにはシンボルタイミング生成部１５ａから出力されたシンボルタイミングクロックが入力されており、これによって規定のシンボルレートで拡散符号を生成することができる。
【００４２】
送信機としての動作を説明すると、送信しようとするデータがある場合、データ生成部１８はシンボルタイミング生成部１５ｂで生成されたシンボルタイミングクロックに応じたシンボルレートで１次変調を行い、送信データを生成する。データ生成部１８において生成された送信データは、複素拡散部１９に出力される。複素拡散部１９は、拡散符号生成部１６ｂで生成された拡散符号に基づいて、送信データの２次変調、すなわち複素拡散を行う。
【００４３】
さらに複素拡散部１９では複素拡散された送信データを同相成分と直交成分とに分離して出力する。出力された各成分の受信データは、ＣＤＭＡ変調信号としてアンテナ（図示せず）を用いて無線送信される。
受信機の場合と同様、拡散符号生成部１６ｂにはシンボルタイミング生成部１５ｂから出力されたシンボルタイミングクロックが入力されている。
【００４４】
次に図１のＣＤＭＡ送受信回路の周波数帯の移行動作について、図を用いて説明する。
基地局は周波数帯の移行を行わせるＣＤＭＡ送受信機に対して、移行先情報を事前に送信する。ＣＤＭＡ変調信号の受信の際に、データ復調部１２は復調された受信データからＳＦＮ及び移行先情報を抽出し、設定タイミング管理部１３に出力する。設定タイミング管理部１３は入力された移行先情報をさらに制御部１４に出力する。
【００４５】
制御部１４は入力された移行先情報に基づいて、規定のタイミングで移行先情報で指定されたシンボルタイミングデータを設定保持部１７ａ及び１７ｂに、移行先情報で指定された拡散符号データを設定保持部１７ｃ及び１７ｄに出力する。また制御部１４は移行先情報に基づいて、変更開始ＳＦＮデータを設定タイミング管理部１３に出力する。
【００４６】
設定タイミング管理部１３は、ＳＦＮ及び変更開始ＳＦＮデータに基づいて、変更開始ＳＦＮになるまでＳＦＮを毎フレーム監視する。
ＳＦＮが変更開始ＳＦＮの一つ前のフレームとなったとき、設定タイミング管理部１３は、シンボルタイミングクロック及び拡散符号の切り替えを行わせる出力タイミング信号を設定保持部１７ａ〜１７ｄに出力する。図１の構成ブロック図において、太線で示されているのが出力タイミング信号の経路である。
【００４７】
出力タイミング信号が入力されると、設定保持部１７ａ〜１７ｄは、各々に保持されたシンボルタイミングデータ又は拡散符号データをシンボルタイミング生成部１５ａ，１５ｂ又は拡散符号生成部１６ａ，１６ｂに出力する。シンボルタイミング生成部１５ａ，１５ｂ又は拡散符号生成部１６ａ，１６ｂが、移行先情報で指定されたシンボルタイミングクロック又は拡散符号を出力することにより、周波数帯の移行が完了する。
【００４８】
上述した周波数帯の移行動作について、図２を用いて具体的に説明する。図２は、本発明のＣＤＭＡ送受信回路の周波数帯移行に係るシンボルタイミングの制御動作のタイムチャート図である。図２では、シンボルタイミング生成部１５ａ及び設定保持部１７ａを例にとって示している。
【００４９】
データ復調部１２から設定タイミング管理部１３に出力されるＳＦＮは、従来の場合と同様、０００ｈ〜ＦＦＦｈ（十進数では０〜４０９５）の範囲で、周期的に繰り返して割り振られている。また、制御部１４からは３０ｋｓｐｓのシンボルタイミングクロックを発生させる旨のシンボルタイミングデータが出力され設定保持部１７ａに保持されており、シンボルタイミング生成部１５ａからは３０ｋｓｐｓのシンボルタイミングクロックが出力されている。
【００５０】
図２（１）は、ＳＦＮのタイムチャートを表している。基地局は既にＳＦＮ＝００３の時点でシンボルタイミングを１２０ｋｓｐｓに、拡散符号をデータ番号がＮｏ．２の拡散符号に変更する旨の移行先情報を送信しており、制御部１４はＳＦＮ＝ＦＦＥの時点でこの移行先情報に基づいた制御を開始するものとする。
【００５１】
設定タイミング管理部１３はデータ変調部１２から出力された移行先情報を制御部１４に出力し、記憶する。制御部１４はＳＦＮ＝ＦＦＥとなった時点で移行先情報から設定変更ＳＦＮデータ、すなわちＳＦＮ＝００３を読み出し、設定タイミング管理部１３に出力する。
また、制御部１４は、移行先情報に基づいて、シンボルタイミングデータとして１２０ｋｓｐｓ指示データを設定保持部１７ａに出力する。設定保持部１７ａは入力された１２０ｋｓｐｓ指示データを保持しておく。
【００５２】
設定保持部１７ａに出力されるシンボルタイミングデータのタイムチャートを図２（２）に、設定保持部１７ａから出力されるシンボルタイミングデータのタイムチャートを図２（４）に示す。ＳＦＮ＝ＦＦＥの時点では、シンボルタイミングデータは１２０ｋｓｐｓに切り替わるが、設定保持部１７ａから出力されるシンボルタイミングデータは未だ３０ｋｓｐｓのままである。
【００５３】
制御部１４から変更設定ＳＦＮデータが出力されると、設定タイミング管理部１３はＳＦＮ及び変更設定ＳＦＮデータに基づいて、ＳＦＮ＝００２となるまでＳＦＮを毎フレーム監視する。データ復調部１２からＳＦＮ＝００２のＳＦＮが入力されると、設定タイミング管理部１３は出力タイミング信号を設定保持部１７ａに入力する。出力タイミング信号のタイムチャートは、図２（３）に示す通りである。
【００５４】
出力タイミング信号が入力されると、設定保持部１７ａは保持されているシンボルタイミングデータである１２０ｋｓｐｓ指示データをシンボルタイミング生成部１５ａに出力する。シンボルタイミング生成部１５ａは１２０ｋｓｐｓ指示データが入力されると、１２０ｋｓｐｓのシンボルタイミングクロックをデータ復調部１２及び拡散符号生成部１６ａに出力する。
図２（４）及びシンボルタイミング生成部１５ａが出力するシンボルタイミングクロックのタイムチャートである図２（５）でも示されている通り、これらの制御動作によりＳＦＮ＝００３の時点でシンボルタイミングクロックの切り替えが完了する。
【００５５】
以上、図２のタイムチャート図を用いて、シンボルタイミング生成部１５ａ及び設定保持部１７ａにおけるシンボルタイミングの制御動作について説明したが、図１のＣＤＭＡ送受信回路では、シンボルタイミング生成部１５ｂ及び設定保持部１７ｂ、拡散符号生成部１６ａ及び設定保持部１７ｃ、拡散符号生成部１６ｂ及び設定保持部１７ｄの各組についても同様の制御を行っている。
すなわち本発明のＣＤＭＡ送受信回路では、設定変更ＳＦＮのタイミングで送受信機のシンボルタイミング及び拡散符号を一斉に切り換えることにより、周波数帯の移行を行っている。
【００５６】
さらに設定タイミング管理部１３の構成及び動作について、図を用いて説明する。図３は、図１のＣＤＭＡ送受信回路の設定タイミング管理部１３の構成ブロック図である。
本発明のＣＤＭＡ送受信回路の設定タイミング管理部は、加算部３１と、ＳＦＮ保持部３２と、比較部３３と、フレームタイミング生成部３４と、論理積演算部（図ではａｎｄ部）３５と、フラグ保持部３６と、選択部３７とで構成されている。尚、図３の構成ブロック図において、移行先情報を制御部１４に出力する回路部分については図示していない。
【００５７】
データ復調部１２から出力されるＳＦＮデータは設定タイミング管理部１３において加算部３１に入力され、１が加算され、比較部３３に出力される。また制御部１４から出力される変更開始ＳＦＮデータはＳＦＮ保持部３２に入力、保持される。ＳＦＮ保持部３２に保持された変更開始ＳＦＮデータは、比較部３３に出力される。
【００５８】
比較部３３では、加算部３１において加算されたＳＦＮデータと、ＳＦＮ保持部３２において保持されている変更開始ＳＦＮデータとの比較が行われ、これらのデータの値が一致する場合１を、異なる場合は０を出力する。比較部３３の出力結果は、論理積演算部３５に入力される。
【００５９】
論理積演算部３５にはさらにフレームタイミング生成部３４から出力されたフレームタイミングクロックが入力される。フレームタイミング生成部３４は、設定タイミング管理部における各フレームのタイミングの基準としてフレームタイミングクロックを出力している。ここでフレームタイミング生成部３４は、データ変調部１２から出力されるＳＦＮデータのタイミングに基づいてフレームタイミングクロックを出力させてもよい。
【００６０】
論理積演算部３５では、比較部３３の出力結果と、フレームタイミング生成部３４から出力されたフレームタイミングクロックとの論理積演算が行われ、両者が１の場合１を、それ以外の場合は０を選択部３７に出力する。尚、フレームタイミングクロックについては発生したクロックを１として演算を行っている。
【００６１】
選択部３７にはさらにフラグ保持部３６からの出力結果が入力される。フラグ保持部３６は、制御部１４から新たに設定変更ＳＦＮデータが入力されたことを示す設定フラグ信号の値として１を保持し、保持されている設定フラグ信号の値を選択部３７に出力する。ここでフラグ保持部３６は、変更開始ＳＦＮデータの入力と同期して１を保持するような構成にしてもよい。
【００６２】
選択部３７には、論理積回演算部３５の出力結果、フラグ保持部３６で保持されている設定フラグ信号の他に、０が入力される。選択部３７は、フラグ保持部３６で保持されている設定フラグ信号の値によって、論理積演算部３５の出力結果か０のどちらかを出力する。このときに選択されて出力された信号が出力タイミング信号となる。
また、選択部３７は出力タイミング信号の出力結果に基づいてフラグ保持部３６に保持されている設定フラグ信号をリセットする。
【００６３】
設定タイミング管理部１３の動作について、図４を用いて具体的に説明する。図４は、設定タイミング管理部１３の各素子における動作制御のタイムチャート図である。
図４（ａ）は、データ復調部１２から出力されるＳＦＮデータの、図４（ｂ）は加算部３１で加算されるＳＦＮデータのタイムチャートをそれぞれ示している。
【００６４】
ＳＦＮ＝３の時点で、制御部１３から変更開始ＳＦＮデータとして６が入力されると、変更開始ＳＦＮデータはＳＦＮ保持部３２に保持され、さらに比較部３３に出力される。ＳＦＮ保持部３１からの出力結果のタイムチャートは図４（ｃ）に示す通りである。
比較部３３には加算部３１の出力結果も入力されており、これらのデータの比較が行われる。ＳＦＮ＝５のとき、両者は一致するため、比較部３３は１を論理積演算部３５に出力する。比較部３３の出力結果のタイムチャートは、図４（ｄ）に示す通りである。
【００６５】
図４（ｅ）はフレームタイミング生成部３４で出力されるフレームタイミングクロックのタイムチャートを示している。論理積演算部３５では比較部３３の出力結果とフレームタイミングクロックとの論理積が行われ、両者が１の場合に論理積演算部３５は１を選択部３７に出力する。図４（ｆ）は論理積演算部３５の出力結果のタイムチャートを示しているが、比較部３３の出力が１であり、かつフレームタイミングクロックが発生した時点での論理積演算部３５の出力結果は１となることが明らかである。
【００６６】
制御部１４から新たに設定変更ＳＦＮデータが入力されると、フラグ保持部３６は設定フラグ信号の値として１を保持し、選択部３７に出力し続ける。図４（ｇ）はフラグ保持部３６の出力結果のタイムチャートを示している。
【００６７】
選択部３７は、フラグ保持部３６で保持されている設定フラグ信号の値によって、論理積演算部３５の出力結果か０のいずれかを出力タイミング信号として出力する。図３の選択部３７では出力タイミング信号として、設定フラグ信号の値が１のとき論理積演算部３５の出力結果を、０のときは０を出力する。
【００６８】
選択部３７の出力結果のタイミングチャートは図４（ｈ）に示す通りである。ＳＦＮ＝５のとき、設定フラグ信号の値は１であり、かつ論理積演算部３５の出力結果が１となるため、設定タイミング管理部は出力タイミング信号を図１の各設定保持部１７ａ〜１７ｄに出力する。また選択部３７は出力タイミング信号を出力後、フラグ保持部３６に保持されている設定フラグ信号をリセットする。このことは図４（ｇ）のタイミングチャートにおいて、出力タイミング信号の出力後はフラグ保持部の出力結果が０であることからも明らかである。
以上説明したような設定タイミング管理部の動作によって、本発明のＣＤＭＡ送受信回路は規定のＳＦＮまでに周波数帯の移行を完了することができる。
【００６９】
図３の設定タイミング管理部の構成ブロック図において、フラグ保持部３６及び選択部３７は、出力タイミング信号の出力を規定のＳＦＮにおいて１回だけ行うために設けられた回路である。
例えばＳＦＮ＝００６ｈのときに周波数帯の移行を行おうとする場合、フラグ保持部３６及び選択部３７がなくとも、論理積演算部３５の出力結果をそのまま出力タイミング信号とすることによって目的は達成できるかのように思われる。
【００７０】
しかしこれまでに説明した通り、ＳＦＮは周期的に同じ値が割り振られている。従来通りＳＦＮが０００ｈ〜ＦＦＦｈの範囲で繰り返し割り振られているとすると、新たに変更開始ＳＦＮデータが入力されない限り、ＦＦＦｈ毎にＳＦＮ＝００６ｈとなる時点で出力タイミング信号が出力される。すなわち既に移行が行われたＳＦＮのタイミングで再び周波数帯の移行を行うという、望まれない事態が発生することになる。
【００７１】
このため新たな変更開始ＳＦＮデータが入力されたことを示す設定フラグ信号を保持、出力するフラグ保持部３６と、設定フラグ信号の値によって出力タイミング信号の出力を決定し、かつフラグ保持部３６の保持内容をリセットする選択部３７を設けることにより、このような事態が発生することを防いでいる。
すなわち新たに入力された変更開始ＳＦＮデータに対して初めて論理積演算部３５の出力結果が１となった時点で、選択部３７は出力タイミング信号を出力し、フラグ保持部３６で保持されている設定フラグ信号をリセットしているため、一つの変更開始ＳＦＮデータで繰り返し出力タイミング信号を出力するようなことはない。
【００７２】
本発明の実施の形態のＣＤＭＡ送受信回路では、送信機側と受信機側の周波数帯の移行は同一のタイミングで行われているが、それぞれ異なるタイミングで行ってもよい。
例えば、移行先情報で指定された周波数帯の移行タイミングで周波数帯の移行動作を実施した後、送信データの生成が初めて行われた時点で送信機側の周波数帯の移行動作を行うようにしてもよい。
この場合、設定タイミング管理部１３は受信機側と送信機側とに分けて周波数帯の移行タイミングの監視及び出力タイミング信号の出力を実施でき、制御部１４は送信機側での送信データ生成状況を監視し、これに対応した変更開始ＳＦＮデータを設定タイミング管理部１３に通知できるような仕様にする必要がある。
【００７３】
上述したように、本発明の実施の形態のＣＤＭＡ送受信回路によれば、周波数帯の移行に際してＳＦＮ監視処理を設定タイミング管理部１３に行わせることにより、ＣＤＭＡ変調信号の送受信制御を司る制御部１４における負荷を軽減することができるため、ＣＤＭＡ送受信機の送受信処理の負荷を低減できる効果がある。
すなわち設定タイミング管理部１３においてＳＦＮ監視処理を制御部１４と独立して行わせることにより、従来の制御部によるＳＦＮ監視処理の場合と比較して、ＣＤＭＡ変調信号の処理制御に多くの時間を割くことができる。したがって制御部１４での負荷が低減されるため、制御部１４で発生する熱雑音が低減し受信感度が向上する効果がある。特にＳＦＮ監視処理が長期間にわたって行われる場合には、効果は顕著となる。
【００７４】
図５は、本発明の別の実施の形態に係るＣＤＭＡ送受信回路の構成ブロック図である。本発明の別の実施の形態に係るＣＤＭＡ送受信回路の構成及び動作について、図１のＣＤＭＡ送受信回路との相違点を中心に図を用いて説明する。
図５のＣＤＭＡ送受信回路も従来と同様、直交変調されたＣＤＭＡ変調信号を扱っている。図５のＣＤＭＡ送受信回路では、シンボルタイミング生成部５５ａ〜５５ｄ、拡散符号生成部５６ａ〜５６ｄ及び選択部５７ａ〜５７ｄが設けられている点が図１のＣＤＭＡ送受信回路の構成と異なっている。
【００７５】
設定タイミング管理部５３は、データ復調部５２から出力された移行先情報を制御部５４に出力し、ＳＦＮ及び制御部５４から出力される移行先情報で指定された変更開始ＳＦＮデータを基に、ＳＦＮの監視を行う。また設定タイミング管理部５３は、選択部５７ａ〜５７ｄから出力させるシンボルタイミングクロック又は拡散符号の切り替えを行わせるため、選択信号を変化させ、選択部５７ａ〜５７ｄに出力する。
【００７６】
制御部５４は、設定タイミング管理部５３から出力された移行先情報に基づいて、移行先情報で指定されたシンボルタイミングデータをシンボルタイミング生成部５５ａ〜５５ｄに、移行先情報で指定された拡散符号データを拡散符号生成部５６ａ〜５６ｄに出力する。また制御部５４は移行先情報に基づいて、変更開始ＳＦＮデータを設定タイミング管理部５３に出力する。
【００７７】
シンボルタイミング生成部５５ａ〜５５ｄは、制御部５４から出力されたシンボルタイミングデータに基づいて、シンボルタイミングデータで指定されたシンボルレートでシンボルタイミングクロックを選択部５７ａ又は５７ｂに出力する。各々のシンボルタイミング生成部のうち、シンボルタイミング生成部５５ａ及び５５ｃは選択部５７ａに、シンボルタイミング生成部５５ｂ及び５５ｄは選択部５７ｂにシンボルタイミングクロックを出力する。
【００７８】
拡散符号生成部５６ａ〜５６ｄは、制御部５４から出力された拡散符号データに基づいて、拡散符号データで指定された種類の拡散符号を生成し、選択部５７ｃ又は５７ｄに出力する。各々の拡散符号生成部のうち、拡散符号生成部５６ａ及び５６ｃは選択部５７ｃに、拡散符号生成部５６ｂ及び５６ｄは選択部５７ｄにシンボルタイミングクロックを出力する。
【００７９】
選択部５７ａ〜５７ｄは、複数のシンボルタイミング生成部又は拡散符号生成部から出力されたシンボルタイミングクロック又は拡散符号のうち一方を出力し、設定タイミング管理部５３から選択信号が入力されると、選択信号に基づいてシンボルタイミングクロック又は拡散符号を切り換えて出力する。
【００８０】
選択部５７ａは、シンボルタイミング生成部５５ａ及び５５ｃから出力されるシンボルタイミングクロックのうちいずれか一方をデータ復調部５２及び拡散符号生成部５６ａ及び５６ｃに、選択部５７ｂはシンボルタイミング生成部５５ｂ及び５５ｄから出力されるシンボルタイミングクロックのうちいずれか一方をデータ生成部５８及び拡散符号生成部５６ｂ及び５６ｄにそれぞれ出力する。
【００８１】
また選択部５７ｃは拡散符号生成部５６ａ及び５６ｃから出力される拡散符号のうちいずれか一方を複素相関部５２に、選択部５７ｄは拡散符号生成部５６ｂ及び５６ｄから出力される拡散符号のうちいずれか一方を複素拡散部５９にそれぞれ出力する。
【００８２】
図５のＣＤＭＡ送受信回路において、複素相関部５１、データ復調部５２、データ生成部５８及び複素拡散部５９の動作については図１のＣＤＭＡ送受信回路と同様であるので、説明は省略する。
【００８３】
次に図５のＣＤＭＡ送受信回路における周波数帯の移行動作について、図を用いて説明する。図５のＣＤＭＡ送受信回路の送信機及び受信機としての動作については、従来例と同様であるので説明は省略する。
基地局は周波数帯の移行を行わせるＣＤＭＡ送受信機に対して、移行先情報を事前に送信する。ＣＤＭＡ変調信号の受信の際に、データ復調部５２は復調された受信データからＳＦＮ及び移行先情報を抽出し、設定タイミング管理部５３に出力する。設定タイミング管理部５３は入力された移行先情報をさらに制御部５４に出力する。
【００８４】
制御部５４は、入力された移行先情報に基づいて、移行先情報で指定されたシンボルタイミングデータをシンボルタイミング生成部５５ａ又は５５ｃのうちのいずれかと、シンボルタイミング生成部５５ｂ又は５５ｄのうちのいずれかに、移行先情報で指定された拡散符号データを拡散符号生成部５６ａ又は５６ｃのうちのいずれかと、拡散符号生成部５６ｂ又は５６ｄのうちのいずれかに規定のタイミングで出力する。シンボルタイミングデータが入力されたシンボルタイミング生成部５５、拡散符号データが入力された拡散符号生成部５６は、指定されたシンボルクロック又は拡散符号を選択部５７ａ〜５７ｄに出力する。
また制御部５４は移行先情報に基づいて、変更開始ＳＦＮデータを設定タイミング管理部５３に出力する。
【００８５】
設定タイミング管理部５３は、ＳＦＮ及び変更開始ＳＦＮデータに基づいて、変更開始ＳＦＮになるまでＳＦＮを毎フレーム監視する。
ＳＦＮが変更開始ＳＦＮの一つ前のフレームとなったとき、設定タイミング管理部５３は、シンボルタイミングクロック及び拡散符号の切り替えを行わせる選択信号を選択部５７ａ〜５７ｄに出力する。図５の構成ブロック図において、太線で示されているのが選択信号の経路である。
【００８６】
選択信号が入力されると選択部５７ａ〜５７ｄは、出力するシンボルタイミングクロック又は拡散符号を移行先情報で指定されたシンボルタイミングクロック又は拡散符号に切り換える。各選択部５７が、移行先情報で指定されたシンボルタイミングクロック又は拡散符号を出力することにより、周波数帯の移行が完了する。
【００８７】
上述した周波数帯の移行動作について、図６を用いて具体的に説明する。図６は、本発明の具体的実施例のＣＤＭＡ送受信回路の周波数帯移行に係るシンボルタイミングの制御動作のタイムチャート図である。図６では、シンボルタイミング生成部５５ａ及び５５ｃと選択部５７ａを例にとって示している。
【００８８】
データ復調部５２から設定タイミング管理部５３に出力されるＳＦＮは、従来の場合と同様、０００ｈ〜ＦＦＦｈ（十進数では０〜４０９５）の範囲で、周期的に繰り返して割り振られている。また、制御部５４からは３０ｋｓｐｓのシンボルタイミングクロックを発生させる旨のシンボルタイミングデータが出力されシンボルタイミング生成部５５ａに出力されており、シンボルタイミング生成部５５ａからは３０ｋｓｐｓのシンボルタイミングクロックが選択部５７ａを経由して出力されている。
【００８９】
図６（１）は、ＳＦＮのタイムチャートを表している。基地局は既にＳＦＮ＝００３の時点でシンボルタイミングを１２０ｋｓｐｓに、拡散符号をデータ番号がＮｏ．２の拡散符号に変更する旨の移行先情報を送信しており、制御部５４はＳＦＮ＝ＦＦＥの時点でこの移行先情報に基づいた制御を開始するものとする。
【００９０】
設定タイミング管理部５３は、データ変調部５２から出力された移行先情報を制御部５４に出力し、記憶する。制御部５４は、ＳＦＮ＝ＦＦＥとなった時点で移行先情報から設定変更ＳＦＮデータ、すなわちＳＦＮ＝００３を読み出し、設定タイミング管理部５３に出力する。
また制御部５４は、移行先情報に基づいて、シンボルタイミングデータとして１２０ｋｓｐｓ指示データをシンボルタイミング生成部５５ｃに出力する。シンボルタイミング生成部５５ｃはシンボルタイミングデータが入力されると、１２０ｋｓｐｓのシンボルタイミングクロックを選択部５７ａに出力する。
【００９１】
シンボルタイミング生成部５５ａ及び５５ｃに出力されるシンボルタイミングデータのタイムチャートを図６（２）（３）に、シンボルタイミング生成部５５ａ及び５５ｃから出力されるシンボルタイミングクロックのタイムチャートを図６（４）（５）に示す。また図６（７）は選択部５７ａから出力されるシンボルタイミングクロックのタイムチャートである。
これらのタイムチャートからも明らかな通り、ＳＦＮ＝ＦＦＥの時点で新たに１２０ｋｓｐｓのシンボルタイミングクロックが選択部５７ａに出力されるが、選択部５７ａから出力されるシンボルタイミングクロックは未だ３０ｋｓｐｓのままである。
【００９２】
制御部５４から変更設定ＳＦＮデータが出力されると、設定タイミング管理部５３はＳＦＮ及び変更設定ＳＦＮデータに基づいて、ＳＦＮ＝００２となるまでＳＦＮを毎フレーム監視する。データ復調部５２からＳＦＮ＝００２のＳＦＮが入力されると、設定タイミング管理部５３は選択信号を変化させ、選択部５７ａに出力する。選択信号のタイムチャートは、図６（６）に示す通りである。
【００９３】
変化された選択信号が入力されると、選択部５７ａは出力するシンボルタイミングクロックを３０ｋｓｐｓから１２０ｋｓｐｓに切り換える。選択部５７ａから出力された１２０ｋｓｐｓのシンボルタイミングクロックは、データ復調部５２及び拡散符号生成部５６ａ及び５６ｃに出力される。以上述べたこれらの制御動作によりＳＦＮ＝００３の時点でシンボルタイミングクロックの切り替えが完了する。
【００９４】
以上、図６のタイムチャート図を用いて、シンボルタイミング生成部５５ａ及び５５ｃと選択部５７ａにおけるシンボルタイミングの制御動作について説明したが、図５のＣＤＭＡ送受信回路では、シンボルタイミング生成部５５ｂ及び５５ｄと選択部５７ｂ、拡散符号生成部５６ａ及び５６ｃと選択部５７ｃ、拡散符号生成部５６ｂ及び５６ｄと選択部５７ｄの各組についても同様の制御を行っている。
【００９５】
すなわち本発明の具体的実施例のＣＤＭＡ送受信回路でも図１のＣＤＭＡ送受信回路と同様、設定変更ＳＦＮのタイミングで送受信機のシンボルタイミング及び拡散符号を一斉に切り換えることにより、周波数帯の移行を行っている。
ところで図１のＣＤＭＡ送受信回路では、シンボルタイミングデータ又は拡散符号データを格納する設定保持部を設け、周波数帯の移行時に設定保持部で格納しているデータを出力することで、シンボルタイミングクロック又は拡散符号の切り替えを行っている。一方図５のＣＤＭＡ送受信回路では、それぞれ二つのシンボルタイミング生成部又は拡散符号生成部を用意し、どちらともシンボルタイミングクロック又は拡散符号を出力させた上で、選択部からいずれかを出力しており、周波数帯の移行時に選択部の出力の切り替えを行っている。
すなわち前者は移行後の制御データを格納しておき、移行時にこの制御データに基づいた制御を始める方式であり、後者は移行前と移行後の制御を並列に行わせ、移行時に移行後の制御に切り換える方式であるといえる。
【００９６】
さらに設定タイミング管理部５３の構成及び動作について、図３の設定タイミング管理部との相違点を中心に図を用いて説明する。図７は、図５のＣＤＭＡ送受信回路の設定タイミング管理部５３の構成ブロック図である。
本発明のＣＤＭＡ送受信回路の設定タイミング管理部は、加算部７１と、ＳＦＮ保持部７２と、比較部７３と、フレームタイミング生成部７４と、論理積演算部（図ではａｎｄ部）７５と、フラグ保持部７６と、選択部７７と、Ｔ型ＦＦ（Flip Flop）７８とで構成されている。尚、図７の構成ブロック図において、移行先情報を制御部５４に出力する回路部分については図示していない。
【００９７】
図７の設定タイミング管理部の構成は、Ｔ型ＦＦ７８を設置している点以外は、図３の設定タイミング管理部と同一である。また動作についてもＳＦＮデータ及び変更開始ＳＦＮデータが入力され、選択部７７から出力タイミング信号を出力するまでは全く同一である。
図７の設定タイミング管理部において、選択部７７で出力された出力タイミング信号は、Ｔ型ＦＦ７８に入力される。Ｔ型ＦＦ７８は、ある特定の値が入力されると、それまでの出力値を反転させる性質をもつ素子である。図７の設定タイミング管理部では、出力タイミング信号が０であればＴ型ＦＦ７８はそれまでの出力値を出力し続け、１の場合、すなわちＳＦＮが変更開始ＳＦＮデータの一つ前となった時点でそれまでの出力値を反転させている。
【００９８】
図７の設定タイミング管理部から出力された選択信号は、図５のＣＤＭＡ送受信回路の各選択部に入力されると、その値が検知される。検知した値によって、各選択部はどのシンボルタイミングクロック又は拡散符号を出力するかを決定することにより、周波数帯の移行を実現することができる。
【００９９】
本発明の具体的実施例のＣＤＭＡ送受信回路でも、送信機側と受信機側の周波数帯の移行は同一のタイミングで行われているが、それぞれ異なるタイミングで行ってもよい。
【０１００】
【発明の効果】
本発明によれば、ＣＤＭＡ変調信号の周波数帯の移行に対応したＣＤＭＡ送受信回路において、移行のタイミングを監視する設定タイミング管理部を設けたことにより、ＣＤＭＡ変調信号の送受信処理の負荷を低減できる効果がある。
【図面の簡単な説明】
【図１】本発明の実施の形態に係るＣＤＭＡ送受信回路の構成ブロック図である。
【図２】図１のＣＤＭＡ送受信回路の周波数帯移行に係る制御動作のタイムチャート図である。
【図３】図１のＣＤＭＡ送受信回路における設定タイミング管理部の構成ブロック図である。
【図４】図３の設定タイミング管理部の各素子における動作制御のタイムチャート図である。
【図５】本発明の別の実施の形態に係るＣＤＭＡ送受信回路の構成ブロック図である。
【図６】図５のＣＤＭＡ送受信回路の周波数帯移行に係る制御動作のタイムチャート図である。
【図７】図５のＣＤＭＡ送受信回路における設定タイミング管理部の構成ブロック図である。
【図８】従来のＣＤＭＡ送受信回路の構成ブロック図である。
【図９】従来のＣＤＭＡ送受信回路の周波数帯移行における制御動作のタイムチャート図である。
【符号の説明】
１１，５１，８１…複素相関部、  １２，５２，８２…データ復調部、  １３，５３…設定タイミング管理部、  １４，５４，８３…制御部、  １５，５５，８４…シンボルタイミング生成部、  １６，５６，８５…拡散符号生成部、  １７…設定保持部、  １８，５８，８６…データ生成部、  １９，５９，８７…複素拡散部、  ５７…選択部
【図１】
0004510252.tif 000002
【図２】
0004510252.tif 000003
【図３】
0004510252.tif 000004
【図４】
0004510252.tif 000005
【図５】
0004510252.tif 000006
【図６】
0004510252.tif 000007
【図７】
0004510252.tif 000008
【図８】
0004510252.tif 000009
【図９】
0004510252.tif 000010